(57)【要約】【課題】送風モードにおける温風の車室内への供給、および空調ユニットへのごみ等の進入を防ぐことが可能な車両前部構造を提供する。【解決手段】本発明にかかる車両前部構造１００の構成は、ダッシュパネル１１０と、ダッシュパネルに形成され空調ユニット１２０に外気を導入する吸気口１１２とを備え、ダッシュパネルの前面に吸気口に被さるように固定される後方に開口した箱型であって、吸気口の上下方向寸法の２倍以上の前後方向寸法を有し、前面に通気孔が形成されているエアインテークボックス１３０と、エアインテークボックス内に配置され前方から見て少なくとも吸気口に重なるカバー１４０と、エアインテークボックスの上方を覆ってエアインテークボックスの前端よりも前方まで延びるカウルトップガーニッシュ１５０とをさらに備えることを特徴とする。【選択図】図２
2014218112.tif 000002
【特許請求の範囲】
【請求項１】
車両のエンジンルームと車室とを区画するダッシュパネルと、該ダッシュパネルに形成され該ダッシュパネルの車室側に配置された空調ユニットに外気を導入する吸気口とを備える車両前部構造であって、
前記ダッシュパネルの前面に前記吸気口に被さるように固定される後方に開口した箱型のエアインテークボックスであって、前記吸気口の上下方向寸法の２倍以上の前後方向寸法を有し、前面に通気孔が形成されているエアインテークボックスと、
前記エアインテークボックス内に配置され前方から見て少なくとも前記吸気口に重なるカバーと、
前記エアインテークボックスの上方を覆って該エアインテークボックスの前端よりも前方まで延びるカウルトップガーニッシュとをさらに備えることを特徴とする車両前部構造。
【請求項２】
前記エアインテークボックスの下面は、前方に向かうにしたがって下方に傾斜していることを特徴とする請求項１に記載の車両前部構造。
【請求項３】
前記エアインテークボックスは、その前面、側面および上面の少なくとも１面に開口部を有することを特徴とする請求項１または２に記載の車両前部構造。
【請求項４】
前記カウルトップガーニッシュは、前記吸気口の車両内側の縁から少なくとも該吸気口の上下方向寸法分以上に車両内側に移動した位置まで車両内側に延びていることを特徴とする請求項１から３のいずれか１項に記載の車両前部構造。
【請求項５】
前記カバーは、前記吸気口の上縁に沿って前記ダッシュパネルの前面に固定され、前方に向かうにしたがって下降して該吸気口を覆い、
当該車両前部構造は、前記ダッシュパネルの前面の前記カバーの固定箇所の上でビード状に前方に突出し車両側方に向かうにしたがって下方に傾斜するガイド形状をさらに備えることを特徴とする請求項１から４のいずれか１項に記載の車両前部構造。
【請求項６】
前記エアインテークボックスは、その前面の下端近傍に排水孔を有することを特徴とする請求項１から５のいずれか１項に記載の車両前部構造。
【発明の詳細な説明】
【技術分野】
【０００１】
本発明は、車両のエンジンルームと車室とを区画するダッシュパネルと、ダッシュパネルに形成され空調ユニットに外気を導入する吸気口とを備える車両前部構造に関するものである。
【背景技術】
【０００２】
車両では、空調ユニット（ＨＶＡＣとも称される）に車両前方側から空気を取り込み、かかる空調ユニットにおいて温度が調整された空気を車室内に送風している。空調ユニットの動作モードの１つとして送風モードがあり、送風モードでは、吸気口より取り入れた外気（空気）をそのまま車室内に送風する。このとき、取り入れた外気に水滴が含まれるとその水滴が車室内に持ち込まれてしまう。それを防ぐために、例えば特許文献１では、吸気口が設けられたカウルダクトの底面に、水切りのための遮蔽板を設けている。
【先行技術文献】
【特許文献】
【０００３】
【特許文献１】特開２００６−２０５９６７号公報
【発明の概要】
【発明が解決しようとする課題】
【０００４】
ここで、空調ユニットに空気を取り込むための吸気口は、一般にエンジン近傍に設けられることが多い。車両の走行中、エンジンは非常に高温になるため、送風モードでは、エンジンの熱（以下、エンジン熱と称する）によって温められた温風が車室内に供給されてしまうことがある。また、フロントフード、すなわち車体前部の車両前後方向の幅が短いトラック等の車両では、外部からの空気の進入口から吸気口までの送風路が短い。このため、送風路において夏場の暑い時期の空気を冷ますことが難しく、上記と同様に車室内に温風が供給されてしまうことがある。更に、吸気口からごみ等が進入すると、空調ユニットの動作不良が生じるおそれがある。特許文献１の構成では、水の持ち込みについては防げるものの、上述した課題を解決することができない。
【０００５】
本発明は、このような課題に鑑み、送風モードにおける温風の車室内への供給、および空調ユニットへのごみ等の進入を防ぐことが可能な車両前部構造を提供することを目的としている。
【課題を解決するための手段】
【０００６】
上記課題を解決するために、本発明にかかる車両前部構造の代表的な構成は、車両のエンジンルームと車室とを区画するダッシュパネルと、ダッシュパネルに形成されダッシュパネルの車室側に配置された空調ユニットに外気を導入する吸気口とを備える車両前部構造であって、ダッシュパネルの前面に吸気口に被さるように固定される後方に開口した箱型のエアインテークボックスであって、吸気口の上下方向寸法の２倍以上の前後方向寸法を有し、前面に通気孔が形成されているエアインテークボックスと、エアインテークボックス内に配置され前方から見て少なくとも吸気口に重なるカバーと、エアインテークボックスの上方を覆ってエアインテークボックスの前端よりも前方まで延びるカウルトップガーニッシュとをさらに備えることを特徴とする。
【０００７】
上記構成によれば、吸気口は、上方がエアインテークボックスの上面やカウルトップガーニッシュによって覆われ、前方がカバーによって覆われる。このため、水、ほこりやごみ等の吸気口への進入を抑制することができる。またエアインテークボックスの下面が存在することにより、下方からの空気の取り込みが行われない。これにより、車両前部の下方に配置されるエンジンの周辺においてその熱の影響を受けた空気、すなわちエンジン熱によって温められた空気（以下、温風と称する）の直接の取り込みを防ぐことができる。したがって、送風モードにおける車室内への温風の供給を抑制することができる。
【０００８】
更に、エアインテークボックスの前後方向の寸法が吸気口の上下方向寸法の２倍以上に設定されることにより、エアインテークボックスの下面の面積を十分に確保することができる。これにより、エンジン熱の影響を受けた下方の空気は、前方に長い下面を回りこんだ後にエアインテークボックス内に吸い込まれる。したがって、エンジン熱の影響が低減された空気を空調ユニット、ひいては車室内に供給することが可能となる。
【０００９】
またエアインテークボックスの前後方向の寸法が吸気口の上下方向寸法の２倍以上に設定されることで、エアインテークボックス内において広い空間が確保される。これにより、エアインテークボックス内に空気を取り込む際の吸込圧を低下させることができる。したがって、取り込まれる際の空気の圧縮、ひいてはそれに起因する温度上昇を防ぐことができる。また圧縮された空気であれば、エアインテークボックス内において圧が解放されるため、空気の温度を低下させることが可能となる。このように、圧縮による空気の温度上昇を防ぎ、また圧の解放により空気の温度を低下させることができるため、送風モードにおける車室内への温風の供給を抑制することが可能となる。
【００１０】
上記エアインテークボックスの下面は、前方に向かうにしたがって下方に傾斜しているとよい。かかる構成により、エアインテークボックス内部に雨水等の水が浸入しても、その水は下面の傾斜に沿って前方側、すなわち吸気口から遠ざかる方向に流れる。このように水を吸気口から離れた位置までガイドすることで、吸気口内への水の浸入をより好適に防ぐことが可能となる。
【００１１】
またエアインテークボックスの下面が下方に傾斜していることにより、仮に下面にごみ等が堆積しても、そのごみが吸気口に進入するためには、ごみは、吸気口に向かって昇り坂になっている下面を上るように移動しなくてはならない。下面が水平であれば、ごみはそれを車両後方に移動させる力のみで吸気口に至ってしまうが、上記構成によれば、ごみが吸気口に進入するためには、車両後方に移動させる力に加えて、上方に移動させる力が必要となる。このため、ごみ等の吸気口への進入を更に抑制することが可能となる。
【００１２】
上記エアインテークボックスは、その前面、側面および上面の少なくとも１面に開口部を有するとよい。これにより、エアインテークボックス内に空気が入り込みやすくなるため、吸気口においても空気を取り込みやすくなる。またエアインテークボックス内の空気の流れが開放状態になるため、空気の圧を解放させる効果、ひいては放熱効果をより高めることができる。
【００１３】
また上記の開口部や、エアインテークボックスの前面に形成されている通気孔は、格子状であるとよい。これにより、通気孔による空気の取り入れ、および開口部による効果を得ながらも、エアインテークボックス内へのごみ等の進入を好適に防ぐことが可能となる。
【００１４】
上記カウルトップガーニッシュは、吸気口の車両内側の縁から少なくとも吸気口の上下方向寸法分以上に車両内側に移動した位置まで車両内側に延びているとよい。これにより、エアインテークボックスに側方から取り込まれる空気においても、カウルトップガーニッシュの延長部分を回りこんでからエアインテークボックス内部に取り込まれる。このように空気が取り込まれるまでの通過経路を長くすることにより、放熱効果を高めることができる。
【００１５】
上記カバーは、吸気口の上縁に沿ってダッシュパネルの前面に固定され、前方に向かうにしたがって下降して吸気口を覆い、当該車両前部構造は、ダッシュパネルの前面のカバーの固定箇所の上でビード状に前方に突出し車両側方に向かうにしたがって下方に傾斜するガイド形状をさらに備えるとよい。
【００１６】
上記構成により、車両前部の隙間、例えばカウルトップガーニッシュとダッシュパネルとの隙間から水が浸入しても、その水は、ガイド形状に沿って下方に移動し、エアインテークボックスの下面に落下する。したがって、吸気口への水の浸入防止効果を更に高めることが可能となる。
【００１７】
上記エアインテークボックスは、その前面の下端近傍に排水孔を有するとよい。これにより、エアインテークボックス内の水を排水孔を通じて外部に排水できるため、エアインテークボックス内における水の貯留を防ぐことができる。
【発明の効果】
【００１８】
本発明によれば、送風モードにおける温風の車室内への供給、および空調ユニットへのごみ等の進入を防ぐことが可能な車両前部構造を提供することができる。
【図面の簡単な説明】
【００１９】
【図１】本実施形態にかかる車両前部構造の斜視図である。
【図２】図１のＡ−Ａ断面図である。
【図３】図１に示す車両前部構造の内部構造を示す図である。
【図４】図３（ａ）に示すエアインテークボックスの拡大斜視図である。
【図５】カバーの詳細図である。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
図１は、本実施形態にかかる車両前部構造１００の斜視図である。図１に示すように、本実施形態の車両前部構造１００では、カウルトップパネル１０２（フロントフードとも称される）によって車両前部の上面が構成され、その前端に車両前面の上部を構成するフロントエンドパネル１０４が取り付けられている。フロントエンドパネル１０４の下端には、車両前面の下部を構成するフロントフェンダパネル１０６が取り付けられている。またカウルトップパネル１０２の後方には、フロントウインドウ１０８（ウインドシールドとも称される）が配置されている。
【００２２】
図２は、図１のＡ−Ａ断面図である。図２に示すように、フロントエンドパネル１０４およびフロントフェンダパネル１０６の車両後方側にダッシュパネル１１０が配置されている。このダッシュパネル１１０により、車両前部構造１００において、エンジン（不図示）が配置されるエンジンルーム１００ａと車室１００ｂとが区画される。ダッシュパネル１１０の車室側には、車室１００ｂに供給する空気の温度を調整する空調ユニット１２０が配置されている。
【００２３】
図３は、図１に示す車両前部構造１００の内部構造を示す図であり、図３（ａ）は図１に示す車両前部構造１００の内部の左上部分の拡大斜視図であり、図３（ｂ）は図１に示す車両前部構造１００の内部に配置されるダッシュパネルの左上部分を示す拡大斜視図である。図４は、図３（ａ）に示すエアインテークボックス１３０の拡大斜視図であり、図４（ａ）はエアインテークボックス１３０を上方から観察した拡大斜視図であり、図４（ｂ）はエアインテークボックス１３０を前方から観察した拡大斜視図である。
【００２４】
図２および図３（ｂ）に示すように、ダッシュパネル１１０には、空調ユニット１２０に外気を導入する吸気口１１２が形成されている。ダッシュパネル１１０において、吸気口１１２近傍の背面には、空調ユニット１２０のダクト１２２が接合されている。これにより、吸気口１１２に浸入した空気がダクト１２２を通過して空調ユニット１２０に取り込まれる。
【００２５】
また図２に示すように、本実施形態の特徴として、ダッシュパネル１１０において、吸気口１１２近傍の前面には、エアインテークボックス１３０およびカバー１４０が取り付けられる。本実施形態のエアインテークボックス１３０は、後方側の面が開口した箱型形状であり、吸気口１１２に被さるようにダッシュパネル１１０の前面に固定される。図３（ａ）に示すように、エアインテークボックス１３０の前面１３０ａには通気孔１３２ａが形成されている。これにより、エアインテークボックス１３０内に空気を取り入れ、吸気口１１２を通じてその空気を空調ユニット１２０に供給することが可能となる。
【００２６】
図２に示すように、本実施形態では、エアインテークボックス１３０の前後方向寸法Ｌ１は、吸気口１１２の上下方向寸法Ｈ１の２倍以上になるように設定される。これにより、エアインテークボックス１３０の下面１３０ｂにおいて車両前方に広い面積を確保することができる。このため、吸気口１１２より下方においてエンジン熱によって温められた温風は、エアインテークボックス１３０の下面１３０ｂに遮られるためエアインテークボックス１３０内に浸入できない。したがって、エンジン熱の影響を受けた温風の吸気口１１２への直接的な取り込みを防ぐことができ、送風モードにおける車室１００ｂ内への温風の供給を抑制することができる。
【００２７】
また、エンジン熱の影響を受けた温風は、前方に長いエアインテークボックス１３０の下面１３０ｂを回り込まないとエアインテークボックス１３０内に進入できないため、回り込んでいる間に温度が低下する。したがって、エンジン熱の影響が低減された空気を空調ユニット１２０、ひいては車室１００ｂ内に供給することができる。
【００２８】
更に、エアインテークボックス１３０の前後方向の寸法が吸気口１１２の上下方向寸法の２倍以上に設定されることでその内部において広い空間が確保されるため、エアインテークボックス１３０内に空気を取り込む際の吸込圧が低下する。これにより、エアインテークボックス１３０内に取り込まれる際に空気が圧縮されにくくなるため、圧縮に起因する空気の温度上昇を抑制することができる。
【００２９】
ここで、図２に示すように、例えばカウルトップパネル１０２とフロントウインドウ１０８との間や、フロントエンドパネル１０４とフロントフェンダパネル１０６との間は隙間が極めて狭い。このため、カウルトップパネル１０２とフロントウインドウ１０８との間から取り込まれる空気Ｂや、フロントエンドパネル１０４とフロントフェンダパネル１０６との間から取り込まれる空気Ｃは、取り込まれる際に圧縮され、温度が上昇する可能性がある。これに対しても、本実施形態のようにエアインテークボックス１３０の前後方向の寸法が吸気口１１２の上下方向寸法の２倍以上に設定することで、エアインテークボックス１３０内において広い空間を確保することができる。したがって、その広い空間において圧縮された空気の圧を解放し、空気の温度を下げることが可能である。
【００３０】
また図２に示すように、本実施形態では、エアインテークボックス１３０の下面１３０ｂを前方に向かうにしたがって下方に傾斜させている。これにより、エアインテークボックス１３０内にごみ等が進入し、下面１３０ｂに堆積しても、そのごみの吸気口１１２への進入を防ぐことができる。
【００３１】
詳細には、仮に下面１３０ｂが水平であった場合、ごみはそれを車両後方に移動させる力のみで吸気口１１２に至ってしまう。これに対し、本実施形態のように下面１３０ｂが前方に向かうにしたがって下方に傾斜している場合、ごみは、吸気口１１２に向かって昇り坂になっている下面１３０ｂを上るように移動しなくてはならず、そのためには車両後方に移動させる力に加えて、上方に移動させる力が必要となる。したがって、ごみが吸気口１１２に向かって移動しづらくなるため、吸気口１１２へのごみの進入を抑制することが可能となる。
【００３２】
更に、エアインテークボックス１３０の下面が前方に向かうにしたがって下方に傾斜していることで、エアインテークボックス１３０内部に雨水等の水が浸入しても、その水は、下面１３０ｂの傾斜に沿って車両前方（矢印Ｄ方向）に向かって移動する。したがって、浸入した水を吸気口１１２から離れた位置までガイドすることができ、吸気口１１２内ひいては空調ユニット１２０への水の浸入を防ぐことが可能となる。
【００３３】
また本実施形態では、図４（ａ）および（ｂ）に示すように、エアインテークボックス１３０の前面１３０ａの下端近傍に排水孔１３４を設けている。これにより、上述したように下面１３０ｂの傾斜によってエアインテークボックス１３０内の前方に導かれた水を、排水孔１３４を通じて外部に排水することができる。したがって、エアインテークボックス１３０内における水の貯留を防ぐことができる。
【００３４】
更に本実施形態では、図４（ａ）および（ｂ）に示すように、エアインテークボックス１３０では、その前面１３０ａに設けた通気孔１３２ａに加え、側面１３０ｃおよび上面１３０ｄにも、開口部である通気孔１３２ｃおよび通気孔１３２ｄを設けている。そして、それらの通気孔１３２ａ・１３２ｃ・１３２ｄを格子状としている。これにより、エアインテークボックス１３０内に空気が入り込みやすくなるため、吸気口１１２においても空気を取り込みやすくなり、エアインテークボックス１３０内の空気の流れが開放状態になることで、空気の圧を解放させる効果、ひいては放熱効果をより高めることが可能となる。また通気孔１３２ａ・１３２ｃ・１３２ｄ（開口部）が格子状であることにより、上記の効果を得ながらも、エアインテークボックス１３０内へのごみ等の進入を好適に防ぐことが可能となる。
【００３５】
なお、本実施形態では、側面１３０ｃおよび上面１３０ｄの両方に開口部である通気孔１３２ｃ・１３２ｄを設けたが、これに限定するものではなく、いずれか一方の面のみに設けてもよいし、更に他方の側面１３０ｅにも通気孔を設けてもよい。また、通気孔１３２ａ・１３２ｃ・１３２ｄの形状についても、必ずしもすべての通気孔を格子状にする必要はなく、必要に応じて適宜変更することが可能である。
【００３６】
更に、本実施形態では、通気孔１３２ａ・１３２ｃ・１３２ｄを格子状とする構成を例示して説明したが、必ずしもこれに限定するものではない。例えば、通気孔１３２ａ・１３２ｃ・１３２ｄを単なる開口とし、その開口に網状の部材を配置したり、パンチングメタルのように複数の開口によって通気孔１３２ａ・１３２ｃ・１３２ｄを構成したりすることによっても同様の効果を得ることが可能である。
【００３７】
図２に示すように、上述したエアインテークボックス１３０の上方には、カウルトップガーニッシュ１５０が配置される。カウルトップガーニッシュ１５０は、後端がダッシュパネル１１０に固定され、エアインテークボックス１３０の上面１３０ｄを覆うように前方に延びる。これにより、吸気口１１２の上方がカウルトップガーニッシュ１５０によって覆われるため、水やほこり等のごみや水の上方からの吸気口１１２への進入を防ぐことができる。
【００３８】
本実施形態において、カウルトップガーニッシュ１５０の前端は、エアインテークボックス１３０の前端よりも前方に位置する。これにより、エアインテークボックス１３０の上面１３０ｄは、すべてカウルトップガーニッシュ１５０によって覆われる。これにより、上述したようにエアインテークボックス１３０の上面１３０ｄに通気孔１３２ｄを設けた場合であっても、その通気孔１３２ｄがカウルトップガーニッシュ１５０によって覆われる。これにより、通気孔１３２ｄからの水やほこり等のごみの進入を防ぐことが可能となる。
【００３９】
また本実施形態では、図３（ａ）に示すように、カウルトップガーニッシュ１５０は、吸気口１１２（図３（ｂ）参照）の車両内側の縁から、その吸気口１１２の上下方向寸法Ｈ１分、車両内側に向かって延びている。これにより、エアインテークボックス１３０の側面１３０ｃに設けられた通気孔１３２ｃ（図４（ａ）参照）から空気が取り込まれる際に、空気は、車幅方向に広いカウルトップガーニッシュ１５０の延長部分を回り込むこととなる。したがって、空気が取り込まれるまでの通過経路を長くなるため、放熱効果を高めることが可能である。
【００４０】
なお、本実施形態では、吸気口１１２の車両内側の縁から、その吸気口１１２の上下方向寸法Ｈ１分、カウルトップガーニッシュ１５０を延長する構成について例示したが、これに限定するものではない。カウルトップガーニッシュ１５０は、少なくとも吸気口１１２の上下方向寸法Ｈ１分以上延長されていればよく、図３（ａ）より更に車両内側に向かって延長させてもよい。
【００４１】
図５は、カバー１４０の詳細図であり、図５（ａ）は図１に示す車両前部構造１００の内部に配置されるダッシュパネル１１０にカバー１４０を取り付けた状態の拡大斜視図であり、図５（ｂ）は図５（ａ）の拡大斜視図である。なお、理解を容易にするために、図５（ａ）ではエアインテークボックス１３０を破線にて図示している。
【００４２】
図２および図５（ａ）に示すように、エアインテークボックス１３０内には、前方から見て吸気口に重なるカバー１４０が配置される。カバー１４０は、吸気口１１２の上縁に沿ってダッシュパネル１１０の前面に固定され、前方に向かうにしたがって下降して吸気口１１２を覆う。このように吸気口１１２の前方がカバー１４０によって覆われることで、前方からの水、ほこりやごみ等の吸気口１１２への進入を抑制することができる。
【００４３】
また本実施形態では、図２、図５（ａ）および（ｂ）に示すように、カバー１４０にはフランジ１４２が形成されている。そして、このフランジ１４２に、ダッシュパネル１１０の前面のカバー１４０の固定箇所の上でビード状に前方に突出し車両側方に向かうにしたがって下方に傾斜するガイド形状１４４を設けている。これにより、仮にカウルトップガーニッシュ１５０とダッシュパネル１１０との隙間から水が浸入しても、その水は、図５（ｂ）の矢印に示すようにガイド形状１４４に沿って下方に移動し、その下端においてエアインテークボックス１３０の下面に落下する。したがって、カバー１４０の水捌けを促進することができ、吸気口１１２への水の浸入防止効果を更に高めることが可能となる。
【００４４】
上記説明したように、本実施形態の車両前部構造１００によれば、吸気口１１２が、上方がエアインテークボックス１３０の上面１３０ｄやカウルトップガーニッシュ１５０によって覆われ、前方がカバー１４０によって覆われるため、水、ほこりやごみ等の吸気口１１２への進入を防ぐことができる。またエアインテークボックス１３０の前後方向の寸法が吸気口１１２の上下方向寸法の２倍以上に設定されることにより、温風の放熱を促進できる。したがって、送風モードにおける温風の車室１００ｂ内への供給を抑制することが可能となる。
【００４５】
なお、本実施形態では、エアインテークボックス１３０とカバー１４０とを別部品とした構成を例示したが、これに限定するものではなく、それらは一体であってもよい。その場合、エアインテークボックス１３０の内部に、その上面１３０ｄから下方に向かって立設する壁部をカバー１４０としてもよい。ただし、上面１３０ｄに通気孔１３２ｄが設けられる場合には、壁部は通気孔１３２ｄより車両後方側に設定する必要がある。また、エアインテークボックス１３０とカバー１４０とを一体とする場合や、カバー１４０にフランジを設けない場合には、ダッシュパネル１１０の前面において吸気口１１２の上方近傍に、上述したガイド形状を設けるとよい。
【００４６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４７】
本発明は、車両のエンジンルームと車室とを区画するダッシュパネルと、ダッシュパネルに形成され空調ユニットに外気を導入する吸気口とを備える車両前部構造に利用することができる。
【符号の説明】
【００４８】
１００…車両前部構造、１００ａ…エンジンルーム、１００ｂ…車室、１０２…カウルトップパネル、１０４…フロントエンドパネル、１０６…フロントフェンダパネル、１０８…フロントウインドウ、１１０…ダッシュパネル、１１２…吸気口、１２０…空調ユニット、１２２…ダクト、１３０…エアインテークボックス、１３０ａ…前面、１３０ｂ…下面、１３０ｃ…側面、１３０ｄ…上面、１３０ｅ…側面、１３２ａ…通気孔、１３２ｃ…通気孔、１３２ｄ…通気孔、１３４…排水孔、１４０…カバー、１４２…フランジ、１４４…ガイド形状、１５０…カウルトップガーニッシュ
【図１】
2014218112.tif 000003
【図２】
2014218112.tif 000004
【図３】
2014218112.tif 000005
【図４】
2014218112.tif 000006
【図５】
2014218112.tif 000007